(57)【特許請求の範囲】
【請求項１】
所定間隔を隔てて設けられた一対の支持体間に配置されるとともに、当該支持体に対して前後に移動可能に設けられた移動部材を備え、
前記移動部材は、前記支持体に支持される左右一対のスライド部材と、これらスライド部材間に位置する横行部材とからなり、
前記横行部材は、ボード類の下端部を支持する第１の支持部と、前記ボード類の背面側を支持する第２の支持部とを備えていることを特徴とするボード類支持装置。
【請求項２】
前記移動部材は平面視略コ字状に設けられ、前記一対のスライド部材の後部間を強制的に接近させることで、前記支持体に対して着脱自在に設けられていることを特徴とする請求項１記載のボード類支持装置。
【請求項３】
前記支持体は異なる高さ位置に設けられた複数のガイドを含み、このガイドに前記移動部材が支持されていることを特徴とする請求項１又は２記載のボード類支持装置。
【発明の詳細な説明】
【０００１】
【発明の属する技術分野】
本発明はボード類支持装置に係り、更に詳しくは、簡易な構成によってボード類を起立姿勢に支持することのできるボード類支持装置に関する。
【０００２】
【従来の技術】
従来より、ホワイトボードやプロジェクターのスクリーン等のボード類が知られている。これらのボード類は、自立構造若しくは壁掛け構造を備えていない場合には、イーゼルと称されている専用の支持装置を用いて起立姿勢に支持しなければならない。
【０００３】
かかるボード類支持装置の一般的構成としては、脚部と、この脚部の所定高さ位置に設けられた横フレームと、当該横フレームの上部に設けられた上部フレームとを備えて構成され、前記横フレームでボード類の下端部を支持する一方、上部フレームでボード類の上部背面側を支持する構成となっている。
【０００４】
【発明が解決しようとする課題】
しかしながら、このようなボード類支持装置は、上下方向高さが高くなるものとなり、不使用時には、高さ方向の収納スペースを大きく必要とする不都合がある。しかも、ボード類を起立姿勢で掲示したときに、当該ボード類の掲示高さを調整する構成とはなっておらず、見易い高さ設定も困難となる。
【０００５】
【発明の目的】
本発明は、このような不都合に着目して案出されたものであり、その目的は、全体としての高さを抑制して小型化を達成することができ、また、必要に応じてボード類の掲示高さも調整することのできるボード類支持装置を提供することにある。
【０００６】
【課題を解決するための手段】
前記目的を達成するため、本発明に係るボード類支持装置は、所定間隔を隔てて設けられた一対の支持体間に配置されるとともに、当該支持体に対して前後に移動可能に設けられた移動部材を備え、
前記移動部材は、前記支持体に支持される左右一対のスライド部材と、これらスライド部材間に位置する横行部材とからなり、
前記横行部材は、ボード類の下端部を支持する第１の支持部と、前記ボード類の背面側を支持する第２の支持部とを備える、という構成を採っている。このような構成とすることで、横行部材自体がボード類を起立姿勢に支持することができるようになり、横行部材よりも高い位置に別途の上部フレームを設ける必要がないため、従来の支持装置に比べて高さを大幅に抑制することができる。従って、不使用時にキャビネット等に収納する際の収納スペースを小さなものとすることができる。また、起立姿勢に支持されたボード類の前後位置を調整することで、当該ボード類を見る者との距離調整も可能となる。
【０００７】
【発明の実施の形態】
本発明において、前記移動部材は平面視略コ字状に設けられ、前記一対のスライド部材の後部間を強制的に接近させることで、前記支持体に対して着脱自在に設けられる、という構成を採るとよい。このような構成とすれば、支持体に対して移動部材を容易に組み立てることができる。
【０００８】
更に、前記支持体は異なる高さ位置に設けた複数のガイドを含み、このガイドに前記移動部材が支持される、という構成を採るとよい。これにより、ボード類の掲示高さも簡易且つ迅速に調整することができ、前後の位置調整を可能とする構成を併用した場合には、一層見易い位置にボードを保つことが可能となる。
【０００９】
【実施例】
以下、本発明の実施例を図面を参照しながら説明する。
【００１０】
図１には、本発明に係るボード類支持装置が適用されたボード類収納装置の概略斜視図が示され、図２には、ボード類を省略した状態の概略斜視図が示されている。これらの図において、ボード類収納装置１０は、平面視略長方形状のベース１１と、このベース１１の左右（長手方向）両側に配置された一対の支持体１２，１２と、これら支持体１２，１２の上部に配置された天板１３とを含む本体１４と、前記支持体１２，１２の後部間に配置されたバック部材１５（図２参照）と、このバック部材１５よりも手前側に配置された移動部材１６とを備えて構成されている。
【００１１】
前記ベース１１は、左右の支持体１２，１２における下部間に掛け渡されている。このベース１１よりも若干上方位置における前部及び後部には、枠体からなる柵部材２０が支持体１２，１２間に掛け渡されており、当該柵部材２０，２０により、ベース１１上に起立姿勢で収納されるボード類Ｂの下部がベース１１の前方及び後方に脱落しないようになっている。なお、柵部材２０は、支持体１２に対して取付高さ位置を変更することが可能とされている。
【００１２】
前記支持体１２，１２は左右対称となる構造体によって構成されている。各支持体１２は、前後一対の支柱２２，２２と、これら支柱２２，２２間において、上下方向に所定間隔を隔てて相互に略平行に延び、且つ、前後の支柱２２，２２を連結する複数の丸棒部材からなるガイド２３と、前部及び後部における左右の支柱２２，２２間をそれぞれ連結する前後一対の連結部材２５と、左右の各支柱２２，２２の外側に、図示しない嵌合構造を介して嵌め込まれたパネル２６とにより構成されている。
【００１３】
前記バック部材１５は、図３に示されるように、直線状に延びる軸部２８と、この軸部２８の端部にそれぞれ設けられたフック部２９，２９とにより構成されている。フック部２９は下向き湾曲形状に設けられており、当該フック部２９が左右の支持体１２における各ガイド２３，２３に上方より引っ掛けられるようになっている。この際、フック部２９，２９は、対応するガイド２３，２３に対して前後方向に移動可能な程度に引っ掛けられており、これにより、バック部材１５がガイド２３に沿って前後に移動可能となっている。
【００１４】
前記移動部材１６は前記支持体１２のガイド２３に沿って移動可能な一対のスライド部材３０，３０と、これらスライド部材３０の前部を相互に連結する横行部材３１とにより構成されて平面視略コ字状の外形に設けられている。各スライド部材３０は、ガイド２３の内方に位置して当該ガイド２３と略平行となるスライドバー３４と、このスライドバー３４の後部に位置する取付部３５と、当該取付部３５に着脱自在に設けられた保持部材３６と、この保持部材３６の外側面における前後二箇所に配置された環状部材３７，３７とにより構成されている。環状部材３７は、前記ガイド２３を挿入することのできる空間を形成するように湾曲した一対の片部材により構成されており、これらの片部材の各先端間は、前記ガイド２３に対して着脱自在となるように開放した形状に設けられている。図３に示されるように、左右のスライド部材３０，３０は、前記横行部材３１に対して片持ち姿勢で固定されており、スライド部材３０，３０の後部間を、一定程度において強制的に接近させることが可能とされ、これにより、移動部材１６がガイド２３に対して着脱自在とされている。
【００１５】
前記横行部材３１は、図３ないし図５に示されるように、手で掴み易い程度の太さを備えた把手軸４０と、この把手軸４０に連結されたフレーム４１とにより構成されている。このフレーム４１は、把手軸４０の両端より若干内方位置における後部外周面部分に連なって略水平方向後方に延びる左右一対をなす第１の支持部としての基部軸４３，４３と、各基部軸４３，４３の後端から上方に延びる起立軸４４，４４と、これら起立軸４４間に延びる第２の支持部としての連結軸４５とにより構成されている。ここで、基部軸４３，４３は、ボード類Ｂの下端部を支持する一方、連結軸４５は、ボード類の下部背面側を支持するようになっている。
【００１６】
次に、本実施例におけるボード類収納装置１０の使用方法について、図６及び図７をも参照しながら説明する。
【００１７】
ボード類Ｂの収納時は、移動部材１６が支持体１２の前部支柱２２，２２間に略位置する状態とされ、この移動部材１６とバック部材１５との間にボード類Ｂが起立姿勢で配置される。この際、ボード類Ｂの高さ寸法に合わせてバック部材１５と移動部材１６をガイド２３に装着することができる。また、収納されるボード類Ｂの枚数が少ない時は、その分、ボード類Ｂが前後方向にばたつく場合を生じ得るため、ボード類Ｂの高さ内に収まる位置で、移動部材１６が装着されているガイド２３とは別のガイド２３にバック部材１５を装着し、これを移動部材１６側に接近させた位置に移動させることで、当該移動部材１６との離間幅を狭めるようにすることもできる。
【００１８】
また、ボード類Ｂの上端よりも上方領域におけるガイド２３を利用して、図示しない棚板を配置することが可能であり、当該棚板や、天板１３を利用して別途の対象物を収納若しくは載せ置くこともでき、スペースの有効利用を図ることが可能となる。
【００１９】
ボード類Ｂを使用する場合には、天板１３の前端と横行部材３１との間に手を差し入れて取り出すことができる。この際、ボード類Ｂの起立高さが高い場合、例えば、ボード類Ｂの上端が天板１３に非常に接近する相対的寸法の場合には、移動部材１６を前方に引き出して出し入れ空間を拡大することによってボード類Ｂを取り出すことができる。すなわち、図６に示されるように、移動部材１６を引き出し限まで引き出した場合、或いは、連結軸４５を１３の前端よりも前方に引き出した場合には、仮に、ボード類Ｂの上端が天板１３の直下に位置する高さを有していても、ボード類Ｂの下部を上部に対して手前側となるような傾斜姿勢にすることによって上方に引き出すことが可能となる。
【００２０】
ボード類Ｂに所要の筆記を行って、これを起立姿勢に支持する必要がある場合には、図７に示されるように、横行部材３１における左右一対の基部軸４３，４３を跨ぐようにボード類Ｂを載せて当該ボード類Ｂの下端部を支持する一方、連結部４５でボード類Ｂの下部背面側を支持させることができる。また、ボード類Ｂの上部背面側を天板１３の前端部で更に支持させてもよい。これにより、ボード類Ｂの起立姿勢を一層安定的に保つことができる。
【００２１】
従って、このような実施例によれば、ボード類Ｂの出し入れが非常に容易となるボード類収納装置を提供することができる他、掲示を行う必要が生じたときに、一部の構成部品、すなわち移動部材１６を利用してボード類Ｂを掲示することが可能となる。
【００２２】
なお、本実施例における支持体１２は、図示構成例に限定されるものではなく、バック部材１５及び移動部材１６を支持することができるものであればよい。従って、例えば、図示のパネル２６は省略することもできる。また、バック部材１５は、後方を閉塞することのできるバックパネルとしてもよい。
【００２３】
更に、移動部材１６は、例えば、図８に示されるように構成することができる。すなわち、起立軸４４の高さを前記実施例構成よりも高く設けることで、当該起立軸４４の上部間に位置する連結軸４５が前記実施例の場合よりも高い位置でボード類Ｂの背面側を支えることができるようになり、天板１３を利用しない場合でも、ボード類Ｂの起立姿勢を一層安定的に保つことができる。また、横行部材３１の把手軸４０の下部から垂下する軸を設け、この軸の下端に基部軸４５を設けることにより、側面から見たときに連結軸４５が落ち込んだ形状となるように設けることもできる。
【００２５】
【発明の効果】
以上説明したように、本発明によれば、横行部材にボード類の下端部を支持する第１の支持部と、前記ボード類の背面側を支持する第２の支持部とを設けたから、横行部材自体によってボード類を起立姿勢に支持することができ、横行部材よりも高い位置に別途の支持部材を設ける必要性を排して支持装置の高さを抑制することができる。この場合には、キャビネット等に収納する際の収納スペースを小さなものとすることができる。
【００２６】
また、一対の支持体間に移動部材を前後に移動可能に設けるとともに、当該移動部材をスライド部材と、当該スライド部材間に位置する横行部材とにより構成した場合には、起立姿勢に支持されたボード類の前後位置を調整可能として当該ボード類を見る者との距離調整も可能となる。
【００２７】
更に、移動部材を面視略コ字状に設けるとともに、スライド部材の後部間を強制的に接近させることで、前記支持体に対して着脱自在に設けた場合には、支持体に対して移動部材を容易に組み立てることができる。
【００２８】
また、異なる高さ位置に設けられたガイドに移動部材が支持される構成としたから、ボード類の掲示高さも調整することもできる。従って、ボード類の前後の位置調整を可能とした構成と併用することで、一層見易い位置にボードを保つことが可能となる。
【図面の簡単な説明】
【図１】  実施例に係るボード類収納装置の概略斜視図。
【図２】  ボード類を省略した状態を示す図１と同様の概略斜視図。
【図３】  バック部材と移動部材を拡大した概略斜視図。
【図４】  移動部材の拡大平面図。
【図５】  （Ａ）は移動部材の正面図、（Ｂ）は移動部材の右側面図。
【図６】  移動部材を引き出し限まで前方に移動した状態の概略斜視図。
【図７】  移動部材を利用してボード類を起立姿勢に立て掛けた状態を示す概略斜視図。
【図８】  移動部材の変形例を示す概略斜視図。
【図１】
0004839557.tif 000002
【図２】
0004839557.tif 000003
【図３】
0004839557.tif 000004
【図４】
0004839557.tif 000005
【図５】
0004839557.tif 000006
【図６】
0004839557.tif 000007
【図７】
0004839557.tif 000008
【図８】
0004839557.tif 000009